(57)【要約】【課題】パワードライブユニット及び動力発生モータを効率よく空気冷却することができる電気自動二輪車を提供する。【解決手段】ピボット軸１２を中心に回動するスイングアーム１３にＰＤＵ１８及び走行用の動力発生モータ１６を取り付け、バッテリ９からの電源をＰＤＵ１８を介して動力発生モータ１６に供給する電気自動二輪車１であって、スイングアーム１３の中空内部を仕切壁２５ａを介して空気導入空間２４及び機器取付空間２３に画成し、機器取付空間２３にＰＤＵ１８を仕切壁２５ａに密着する態様で取り付け、ＰＤＵ１８を取り付けた部分に対応した空気導入空間２４内に仕切壁２５ａから空気導入空間２４に向けて延びるフィン４０を形成した。【選択図】図７
2010083373.tif 000002
【特許請求の範囲】
【請求項１】
ピボット軸を中心に回動するスイングアームにパワードライブユニット及び走行用の動力発生モータを取り付け、バッテリからの電源を前記パワードライブユニットを介して動力発生モータに供給する電気自動二輪車であって、
前記スイングアームの中空内部を仕切壁を介して空気導入空間及び機器取付空間に画成し、前記機器取付空間に前記パワードライブユニットを前記仕切壁に密着する態様で取り付け、前記パワードライブユニットを取り付けた部分に対応した前記空気導入空間内に前記仕切壁から空気導入空間に向けて延びるフィンを形成したことを特徴とする電気自動二輪車。
【請求項２】
前記機器取付空間に前記動力発生モータを配置し、前記仕切壁の動力発生モータ取付部に前記空気導入空間から前記機器取付空間まで連通する空気穴を形成したことを特徴とする請求項１に記載の電気自動二輪車。
【請求項３】
前記空気導入空間及び前記機器取付空間を車両前後方向に延びるように形成し、前記ピボット軸の近傍に空気導入空間の空気導入口を形成し、前記ピボット軸と前記動力発生モータとの間にパワードライブユニットを配置し、前記フィンを前記空気導入口からら前記空気穴まで延びるように形成したことを特徴とする請求項２に記載の電気自動二輪車。
【請求項４】
前記機器取付空間を前記空気導入空間よりも車体外側に配置し、前記機器取付空間の外側部を覆う着脱可能な外側カバーを設けたことを特徴とする請求項１から請求項３のいずれか１つに記載の電気自動二輪車。
【請求項５】
前記空気導入空間を前記機器取付空間よりも車体内側に配置し、前記空気導入空間の車体内側を覆う着脱可能な内側カバーを設けたことを特徴とする請求項１から請求項３のいずれか１つに記載の電気自動二輪車。
【請求項６】
前記フィンは複数形成され、これらのフィンにより区画された空気導入空間に対応した空気穴が形成されていることを特徴とする請求項２に記載の電気自動二輪車。
【請求項７】
前記スイングアームには、前記空気導入空間から前記機器取付空間を連通する空気穴から導入された空気をモータを通して外部に排出する排出通路を形成するリブが設けられていることを特徴とする請求項１に記載の電気自動二輪車。
【発明の詳細な説明】
【技術分野】
【０００１】
本発明は、車体に取り付けたバッテリ等の高温機器を冷却可能な電気自動二輪車に関する。
【背景技術】
【０００２】
バッテリを搭載し、このバッテリから供給される電源によって走行用の動力発生モータを駆動する電気自動二輪車が知られている。このような電気自動二輪車では、バッテリを冷却するために、バッテリを収容するバッテリボックス内の空気を冷却ファンで吸引して内部を空冷するようにしている（例えば、特許文献１参照）。
また、バッテリから供給される電源は、駆動回路等が組み込まれたパワードライブユニットを介して動力発生モータに供給されるようになっている。
【０００３】
【特許文献１】特許第３３１７５６０号明細書
【発明の開示】
【発明が解決しようとする課題】
【０００４】
このような電気自動二輪車では、バッテリの他に、例えば、パワードライブユニットや、動力発生モータのコイルなども冷却することが好ましい。しかしながら、パワードライブユニットや、動力発生モータにそれぞれ冷却ファンを取り付けて空冷するには、冷却ファンの配置スペースが必要になる。また、部品点数も多くなり、組立工数の増加やコスト高にもなる。
【０００５】
本発明は、上述した事情を鑑みてなされたものであり、パワードライブユニット及び動力発生モータを効率よく空気冷却することができる電気自動二輪車を提供することにある。
【課題を解決するための手段】
【０００６】
上述課題を解決するため、本発明は、ピボット軸を中心に回動するスイングアームにパワードライブユニット及び走行用の動力発生モータを取り付け、バッテリからの電源を前記パワードライブユニットを介して動力発生モータに供給する電気自動二輪車であって、
前記スイングアームの中空内部を仕切壁を介して空気導入空間及び機器取付空間に画成し、前記機器取付空間に前記パワードライブユニットを前記仕切壁に密着する態様で取り付け、前記パワードライブユニットを取り付けた部分に対応した前記空気導入空間内に前記仕切壁から空気導入空間に向けて延びるフィンを形成したことを特徴とする。
この構成によれば、パワードライブユニットの熱を仕切壁に熱伝導させるとともに、この仕切壁の熱をさらにフィンに伝えることができる。
【０００７】
また、前記機器取付空間に前記動力発生モータを配置し、前記仕切壁の動力発生モータ取付部に前記空気導入空間から前記機器取付空間まで連通する空気穴を形成している。
この構成によれば、空気導入空間内の空気を、前記機器取付空間に取り付けられた動力発生モータへと送ることができる。
【０００８】
さらに、前記空気導入空間及び前記機器取付空間を車両前後方向に延びるように形成し、前記ピボット軸の近傍に空気導入空間の空気導入口を形成し、前記ピボット軸と前記動力発生モータとの間にパワードライブユニットを配置し、前記フィンを前記空気導入口からら前記動力発生モータまで延びるように形成してもよい。
この構成によれば、スイングアームの車体前後方向に延びる形状に沿って、パワードライブユニット及び動力発生モータを車両前後方向に沿って並べて配置することができる。
【０００９】
さらにまた、前記機器取付空間を前記空気導入空間よりも車体外側に配置し、前記機器取付空間の外側部を覆う着脱可能な外側カバーを設けるようにしてもよい。
この構成によれば、外側の機器取付空間に配置されたパワードライブユニット及び動力発生モータが、外側カバーを取り外すことで車体外に表出するようになる。
【００１０】
また、前記空気導入空間を前記機器取付空間よりも車体内側に配置し、前記空気導入空間の車体内側を覆う着脱可能な内側カバーを設けるようにしてもよい。
この構成によれば、内側カバーを外すことで、空気導入空間側を表出させることができる。
【００１１】
さらに、前記フィンは複数形成され、これらのフィンにより区画された空気導入空間に対応した空気穴を形成することもできる。
この構成によれば、上記区画毎に空気穴から空気を動力発生モータ側へ送ることができる。
【００１２】
さらにまた、前記スイングアームには、前記空気導入空間から前記機器取付空間を連通する空気穴から導入された空気を前記動力発生モータを通して外部に排出する排出通路を形成するリブが設けられていてもよい。
この構成によれば、導入された空気の流れを乱すことなく排出口まで導くことができる。
【発明の効果】
【００１３】
本発明によれば、ピボット軸を中心に回動するスイングアームにパワードライブユニット及び走行用の動力発生モータを取り付け、バッテリからの電源を前記パワードライブユニットを介して動力発生モータに供給する電気自動二輪車であって、前記スイングアームの中空内部を仕切壁を介して空気導入空間及び機器取付空間に画成し、前記機器取付空間に前記パワードライブユニットを前記仕切壁に密着する態様で取り付け、前記パワードライブユニットを取り付けた部分に対応した前記空気導入空間内に前記仕切壁から空気導入空間に向けて延びるフィンを形成しているので、パワードライブユニットの熱を仕切壁に熱伝導させるとともに、この仕切壁の熱をさらにフィンに伝えることができ、空気導入空間内のフィン部に空気を送流させることで、熱を効果的に取り除くことができる。これにより、パワードライブユニットを効果的に冷却することができる。
【００１４】
また、前記機器取付空間に前記動力発生モータを配置し、前記仕切壁の動力発生モータ取付部に前記空気導入空間から前記機器取付空間まで連通する空気穴を形成しているので、空気導入空間内の空気を、前記機器取付空間に取り付けられた動力発生モータへと送ることができる。そのため、空気導入空間内に空気を送流させることで、空気を動力発生モータへと送流させることができ、動力発生モータを効果的に空気冷却することができる。
【００１５】
さらに、前記空気導入空間及び前記機器取付空間を車両前後方向に延びるように形成し、前記ピボット軸の近傍に空気導入空間の空気導入口を形成し、前記ピボット軸と前記動力発生モータとの間にパワードライブユニットを配置し、前記フィンを前記空気導入口からら前記動力発生モータの空気穴まで延びるように形成しているので、スイングアームの車体前後方向に延びる形状に沿って、パワードライブユニット及び動力発生モータを車両前後方向に沿って並べて配置することで、これらのパワードライブユニット及び動力発生モータの両方を空気冷却することができる。
【００１６】
さらにまた、前記機器取付空間を前記空気導入空間よりも車体外側に配置し、前記機器取付空間の外側部を覆う着脱可能な外側カバーを設けるようにしているので、外側の機器取付空間に配置されたパワードライブユニット及び動力発生モータが、外側カバーを取り外すことで車体外に表出するようになり、車体外からパワードライブユニット及び動力発生モータをメンテナンスすることができる。
【００１７】
また、前記空気導入空間を前記機器取付空間よりも車体内側に配置し、前記空気導入空間の車体内側を覆う着脱可能な内側カバーを設けるようにしているので、内側カバーを外して空気導入空間側を表出させることにより、空気導入空間内部をメンテナンスすることができる。また、スイングアームの構造を一体構造にしたものと比較して、本体部を容易に鋳込み成形をすることができる。
【００１８】
さらに、前記フィンは複数形成され、これらのフィンにより区画された空気導入空間に対応した空気穴を形成しているので、上記区画毎に空気穴から空気を動力発生モータ側へ送ることができ、空気の送流を良好に行わせることができる。
【００１９】
さらにまた、前記スイングアームには、前記空気導入空間から前記機器取付空間を連通する空気穴から導入された空気を前記動力発生モータを通して外部に排出する排出通路を形成するリブが設けられているので、導入された空気の流れを乱すことなく排出口まで空気を導くことで、動力発生モータを効果的に冷却することができる。
【発明を実施するための最良の形態】
【００２０】
以下、本発明の実施の形態に係る電気自動二輪車について図面を参照して説明する。なお、以下の説明で、上下、前後、左右の方向は、運転者から見た方向をいう。
図１は、本発明の実施の形態に係るバッテリ駆動式の電気自動二輪車（Electric Vehicle）の側面図、図２は、その平面図である。なお、図２では、説明を容易にするために、図１に記載したシートレール８、フェンダカバー２１、ステップフロア１０を省略している。
【００２１】
電気自動二輪車１の車体フレームＦは、図１に示すように、前輪ＷＦを軸支するフロントフォーク２と、このフロントフォーク２に連結される操向ハンドル３を操向可能に支承するヘッドパイプ５を前端に備えている。また、車体フレームＦは、センターフレーム６と、リアフレーム７と、シートレール８とを備えている。これらのフレーム６、７、８は、図２に示すように、車体幅方向において左右対称に一対にそれぞれ構成されている。
【００２２】
センターフレーム６は、上述したヘッドパイプ５に連設されて車体後方斜め下側に延びる傾斜部６ａと、この傾斜部６ａの下端で屈曲して略水平に車体後方へ延在する水平部６ｂとで構成されている。また、センターフレーム６は、図２に示すように、左右の水平部を車幅方向で連結するクロスメンバ６ｃによって連結されている。
また、リアフレーム７は、センターフレーム６の水平部６ｂの後端から車体後方斜め上側に向けて延びる第１傾斜部７ａと、この第１傾斜部７ａの後端で屈曲する屈曲部７ｂから、第１傾斜部７ａよりも緩やかな傾斜で車体後方斜め上側に延びる第２傾斜部７ｃとで構成されている。また、第２傾斜部７ｃは、図２に示すように、車体幅方向に延びるクロスフレーム７ｄによって左右が連結されている。
さらに、シートレール８は、リアフレーム７の上側に取り付けられた略逆Ｕ字形状をなしており、リアフレーム７の屈曲部７ｂから車体前方斜め上側に延びる傾斜部８ａと、この傾斜部８ａの上端から後方へ水平に延びる水平部８ｂと、この水平部８ｂの後部からリアフレーム７の第２傾斜部７ｃに向けて後方斜め下側に延びる支持部８ｃとで構成されている。
【００２３】
センターフレーム６の水平部６ｂには、図１及び図２に示すように、詳細は後述するバッテリ９がバッテリボックス１９に収容されている。このバッテリボックス１９は、水平部６ｂの左右一対のフレームによって挟み込まれる態様で取り付けられており、バッテリボックス１９の底面は、図１に示す側面視において、水平部６ｂよりも下側に位置する。また、センターフレーム６のクロスメンバ６ｃは、車体幅方向における中央部が下側に窪んだ形状をなしており、バッテリボックス１９は、このクロスメンバ６ｃの上に載せられた状態で固定されている。
【００２４】
このバッテリボックス１９が配置された部分は、いわゆる足載せ空間Ｓの下側の部分であり、バッテリボックス１９の上側は、運転者が足を載せるためのステップフロア１０で覆われている。
【００２５】
バッテリボックス１９は、その内部にバッテリ９を収容する略直方体の箱形形状に形成されており、このバッテリボックス１９の内部にバッテリ９が左右に並べて配置される。バッテリボックス１９の前面には、ボックス内部に外気を取り込むための空気導入ダクト２０が左右にそれぞれ設けられている。一方、バッテリボックス１９の後面には、取り込んだ外気を排出する排出口２０ｂが形成されている。
これにより、導入口２０ａから取り込んだ外気によってバッテリ９を空気冷却し、冷却後の空気を排出口２０ｂから排出することができるようになっている。
【００２６】
リアフレーム７には、図１に示すように、センターフレーム６との連接部の近傍であって屈曲部７ｂの下側に、車体後方へ突出するピボットプレート１１が左右のそれぞれに設けられている。この左右のピボットプレート１１には、ピボット軸１２が車幅方向に亘って貫通して設けられている。このピボット軸１２には、スイングアーム１３の前端部が取り付けられており、このピボット軸１２を中心にスイングアーム１３が上下に回動するようになっている。
【００２７】
スイングアーム１３は、車体幅方向の左側に位置するリアサスペンション１４によってリアフレーム７の第２傾斜部７ｃと連結されている。より詳細には、リアサスペンション１４の上端部１４ａは、リアフレーム７の第２傾斜部７ｃに取り付けられ、リアサスペンション１４の下端部１４ｂは、スイングアーム１３の後部に取り付けられている。これにより、スイングアーム１３の後端部で支持する後輪ＷＲの上下振動をこのリアサスペンション１４で吸収している。
【００２８】
スイングアーム１３の前側先端部には、ピボット軸１２に回動可能に取り付けられる回動支持部１３ｂが車体幅方向の左右に離間する態様で一対設けられている。このスイングアーム１３は、ピボット軸１２に取り付けられた状態で、ピボット軸１２（回動支持部１３ｂ）から後輪ＷＲを避けるように車体後方斜め左側に斜めに延びた後、後輪ＷＲの左側に沿って車体後方まで延在している。このスイングアーム１３の後部には、車幅方向に延びる後輪軸１７が設けられており、この後輪軸１７に後輪ＷＲが回転自在に片持ち支持されている。
【００２９】
なお、図１及び図２において、符号４１は車体前方を照らすヘッドライト、４２はシートレール８の水平部８ｂに取り付けられた乗員シート、４３はリアフレーム７の後端部に取り付けられたブレーキランプ、４４はその下側に位置するリフレクタである。
【００３０】
図３は、図１のＩＩＩ―ＩＩＩ断面図であって、スイングアーム１３を単体で示す平面図である。また、図４は、図３の左側面図（図３のＡ方向から見た図）であって、図３に記載した左側カバー（外側カバー）２６を取り外した状態を示すものである。さらに、図５は、図３を車体前側（図３のＢ方向）から見た図である。
スイングアーム１３は、図３に示すように、車体前後方向に延在する仕切壁２５ａを有する本体部２５と、この本体部２５の左側面を覆う左側カバー２６と、本体部２５の右側面を覆う右側カバー２７とを組み立てて構成されている。
【００３１】
スイングアーム１３の内部には、車体左側（車体外側）に位置する機器取付空間２３、及び車体右側（車体内側）に位置する空気導入空間２４の２つの空間が形成されている。これらの空間２３、２４は、上述した仕切壁２５ａによって車体幅方向の左右に画成されており、車体前後方向に延びる態様で構成されている。
また、機器取付空間２３の左側面は、上述した左側カバー２６をボルト等で着脱可能に取り付けることによって塞がれており、空気導入空間２４の右側面は、上述した右側カバー２７を同様にボルト等で着脱可能に取り付けることによって塞がれている。
【００３２】
機器取付空間２３には、後輪ＷＲを駆動するための動力発生モータ１６、及びこの動力発生モータ１６を制御するためのＰＤＵ１８（Power Drive Unit）が収容されている。これらの動力発生モータ１６及びＰＤＵ１８は、左側カバー２６を取り外すことでメンテナンスができるようになっている。
【００３３】
動力発生モータ１６は、図３に示すように、スイングアーム１３の後部に配置されており、仕切壁２５ａに形成された動力発生モータ取付部３３に着脱可能に取り付けられている。動力発生モータ１６の駆動軸１６ａは、後輪ＷＲの後輪軸１７と略平行に配置されており、仕切壁２５ａを貫通して機器取付空間２３側から空気導入空間２４側まで突出している。この駆動軸１６ａ上には、駆動ギヤ２９が設けられており、後輪軸１７上に設けられた減速ギヤ３０と歯合している。この駆動ギヤ２９は、減速ギヤ３０と比して小径であり、１段減速する態様で動力発生モータ１６の駆動力を後輪軸１７に伝達している。
【００３４】
また、本体部２５には、この駆動ギヤ２９、減速ギヤ３０等の動力伝達部分を覆うようにギヤカバー３４が取り付けられている。このギヤカバー３４は、上述した動力伝達部分が配置された駆動力伝達空間３１と空気導入空間２４とを画成するものであり、この駆動力伝達空間３１内を密閉して、駆動力伝達空間３１に潤滑オイルを保持できるようにしている。
また、ギヤカバー３４には、ドラムブレーキユニット３５を作動させるためのピン部材３６が設けられている。このドラムブレーキユニット３５は、左側の操向ハンドル３に取り付けられたブレーキハンドル３９を操作することによって動作する。詳細には、ブレーキハンドル３９の操作によって、図４に示すブレーキワイヤ３７を介してブレーキレバー３８が回動し、ブレーキレバー３８に取り付けられたピン部材３６が操作されることによって後輪ＷＲのブレーキが作動するようになる。
【００３５】
ＰＤＵ１８は、図２及び図３に示すように、動力発生モータ１６よりも前側に配置されており、仕切壁２５ａに形成されたＰＤＵ取付面３２にボルト等で着脱可能に取り付けられている。このＰＤＵ１８の内部には、図示しない駆動回路、コンデンサ、ヒートシンクなどが収容されている。
また、ＰＤＵ１８は、図示しない配線によってバッテリ９と接続されており、バッテリ９からＰＤＵ１８へ電力が送られるようになっている。また、ＰＤＵ１８は、制御プログラム等が格納された図示しないＥＣＵ（Electric Control Unit）とも配線によって接続され、ＥＣＵからＰＤＵ１８へ制御信号が送られるようになっている。さらに、ＰＤＵ１８は、図示しない配線によって動力発生モータ１６とも接続されており、ＰＤＵ１８から動力発生モータ１６へ電力及び制御信号が送られるようになっている。なお、上述したＥＣＵは、車体側に取り付けられている。
【００３６】
ＰＤＵ１８のこれらの駆動回路等は、他の部品と比較して熱を多く発生する。そのため、このＰＤＵ１８は、仕切壁２５ａのＰＤＵ取付面３２にできるだけ大きな面積で密着するように取り付けられており、駆動回路等から生じる熱を仕切壁２５ａへ熱伝導させて、放熱させている。
【００３７】
一方、空気導入空間２４には、仕切壁２５ａから複数の冷却フィン４０が突出しており、ＰＤＵ１８から仕切壁２５ａへと熱伝導した熱がさらに冷却フィン４０へと熱伝導するようになっている。
【００３８】
この空気導入空間２４には、その前端部に前側開口部１３ａが形成されている。この前側開口部１３ａには、空気導入空間２４内に空気を送り込むための冷却ファン２２が取り付けられている。この冷却ファン２２は、図１に示す側面視において、上述したバッテリボックス１９とＰＤＵ１８の間に配置されており、バッテリボックス１９内部の空気を排出口２０ｂから吸い込む機能も有している。すなわち、バッテリボックス１９の排出口２０ｂと、スイングアーム１３の前側開口部１３ａは、車体幅方向及び高さ方向においてほぼ一致し、それぞれの開口が対向するように配置されており、排出口２０ｂから排出される空気が冷却ファン２２によって効率よく前側開口部１３ａの中に取り込まれるようになっている。
なお、前側開口部１３ａ及び排出口２０ｂの開口の形状は同じであってもよく、異なっていても良い。例えば、前側開口部１３ａは、バッテリボックス１９から排出される空気だけでなく、走行風を積極的に取り込めるように形状や配置を異ならせることも可能である。
【００３９】
また、仕切壁２５ａの動力発生モータ１６が取り付けられる部分には、空気導入空間２４と機器取付空間２３とが連通する空気穴５０が形成されている。これにより、前側開口部１３ａから取り込まれた空気は、空気導入空間２４を通過した後に、上述した空気穴から動力発生モータ１６内へと流れ、動力発生モータ１６の内部を空気冷却した後に大気へと排出される。
【００４０】
なお、これらの動力発生モータ１６、ＰＤＵ１８、及び冷却ファン２２は、スイングアーム１３の揺動に合わせて後輪ＷＲと一緒に上下に揺動することになる。
また、スイングアーム１３の下側には、図５に示すように、メインスタンド４５を支持するための取付部４６が車体幅方向の左右に離間する態様で一対形成されている。これにより、メインスタンド４５は、取付部４６の取付穴４６ａに挿通される取り付けピン４６ｂ（図１参照）によってスイングアーム１３に取り付けられ、スイングアーム１３と一緒に揺動することになる。
【００４１】
図６は、スイングアーム１３の本体部２５を左側（機器取付空間２３側）から見た側面図、図７は、本体部２５を右側（空気導入空間２４側）から見た側面図である。また、図８は、左側カバー２６を本体部２５側から見た正面図であり、図９は、右側カバー２７を本体部２５側から見た正面図である。
【００４２】
本体部２５は、熱伝導性に優れたアルミニウム材を用いて鋳造により成型されており、図６及び図７に示すように、上述した仕切壁２５ａと、この仕切壁２５ａの上下を挟むように上面部２５ｂ、下面部２５ｃとが一体に形成されている。
仕切壁２５ａは、スイングアーム１３の車体前後方向への形状に沿って延びており、図６に示すように、機器取付空間２３側にＰＤＵ取付面３２と、動力発生モータ取付部３３とが形成されている。このＰＤＵ取付面３２は、スイングアーム１３が車体中央部から側方に向かって斜めに延びる部分（図２及び図３参照）に位置しており、このＰＤＵ取付面３２も車体前方から後方に向かうに従い車体中央から側方へ斜めに傾斜する態様で形成されている。また、ＰＤＵ取付面３２及びＰＤＵ１８の固定面とは、それぞれが略平坦な面で形成されており、ＰＤＵ１８の固定面がＰＤＵ取付面３２とが密着し、かつ、その接触面積が大きくなって熱伝導性が高くなるようにしている。このＰＤＵ取付面３２の四隅には、ＰＤＵ１８をねじ等で固定するためのＰＤＵ取付穴５１がそれぞれ設けられている。
【００４３】
また、動力発生モータ取付部３３には、空気導入空間２４と機器取付空間２３とが連通する複数の空気穴５０と、この複数の空気穴５０から入り込む空気を動力発生モータ１６の円周方向に案内する空気案内壁５２（リブ）と、動力発生モータ１６の駆動軸１６ａを通す貫通穴５３とが形成されている。また、この貫通穴５３の周囲には、上述した動力発生モータ１６を取り付けるための取付穴５４が設けられている。
【００４４】
複数の空気穴５０は、上述したギヤカバー３４が覆う駆動力伝達空間３１（図３参照）の外側に位置し、貫通穴５３を中心に円弧状になるように並べて形成されており、この部分で空気導入空間２４と機器取付空間２３とを連通させている。これらの空気穴５０によって、空気導入空間２４側を流れる空気が、動力発生モータ１６側へと流れ込むようになっている。
【００４５】
空気案内壁５２は、図６に示すように、略円弧状に形成されており、動力発生モータ１６側へ流れた空気（図６に矢印Ｈで示す）を、動力発生モータ取付部３３の周方向に左斜め下側から右斜め下側まで時計の回転方向へと案内する排出通路Ｋを形成している。これにより、空気穴５０から流入した空気は、動力発生モータ１６の図示しないステータを冷却した後に、排出通路Ｋを通過して、本体部２５の下側に位置する空気排出口５５（排出口）から放出されるようになる。
【００４６】
このような空気案内壁５２の形状は、空気を動力発生モータ１６の周方向に沿って案内することで車体外部の雨水や埃が空気排出口５５から動力発生モータ取付部３３へと入り込まないようにするものである。
なお、この空気排出口５５の近傍にラビリンス構造の防水フィンを付けることで、空気排出口５５から雨水や塵埃が動力発生モータ取付部３３へより入り込み難くすることもできる。
【００４７】
また、仕切壁２５ａには、図７に示すように、仕切壁２５ａから空気導入空間２４側（機器取付空間２３と反対側）に突出する複数の冷却フィン４０が一体に形成されている。この複数の冷却フィン４０は、前側開口部１３ａから動力発生モータ取付部３３の裏側付近を通り、動力発生モータ１６の外形である円周に沿って弧を描くように湾曲した後に、複数の空気穴５０まで延在している。このフィン形状は、前側開口部１３ａから取り込んだ空気を隣り合う冷却フィン４０の間を通過させて、それぞれの空気穴５０まで案内する機能を果たす。一方、冷却フィン４０は、本体部２５の剛性を高める強度部材としても機能しており、スイングアーム１３全体の重量低減に寄与している。また、ＰＤＵ取付面３２の裏側部分から、動力発生モータ取付部３３の裏側部分まで延在することで、これらの部分に対応する仕切壁２５ａから効果的に熱を吸収し放熱させる機能を果たしている。さらに、複数の冷却フィン４０を設けてより大きな面積で空気と接するようにすることで仕切壁２５ａから効果的に放熱させる機能を果たしている。
さらに、仕切壁２５ａには、図７に示すように、後輪軸１７の左端部に取り付けられるベアリングを支持する受け部５７が形成されている。
【００４８】
一方、図６に示すように、機器取付空間２３側から見て、上面部２５ｂ及び下面部２５ｃの縁部５６には、左側カバー２６を取り付けるための複数の取付穴５８が形成されている。これに対応し、図８に示すように、左側カバー２６の内側面の周縁部５９にも、取付穴５８と対応する位置に、左側カバー２６の外側面に貫通する取付穴６０が形成されている。左側カバー２６は、この取付穴６０にボルト等を挿通させ、このボルト等を取付穴５８に螺合させることにより、本体部２５と着脱可能に取り付けられる。
この左側カバー２６は、熱伝導性の良いアルミニウム鋳物で一体成型してもよく、樹脂の成形品で一体成型してもよい。
【００４９】
同様に、図７に示すように、空気導入空間２４側から見て、上面部２５ｂ及び下面部２５ｃの縁部６１及び本体部２５の中央部にも、右側カバー２７を取り付けるための複数の取付穴６２が形成されている。これに対応し、図９に示すように、右側カバー２７の内側面の周縁部６３及び中央部にも、取付穴６２と対応する位置に、右側カバー２７の外側面に貫通する取付穴６４が形成されている。右側カバー２７は、この取付穴６４にボルト等を挿通させ、このボルト等を取付穴６２に螺合させることにより、本体部２５と着脱可能に取り付けられる。
また、右側カバー２７の後端部２７ａは、図９に示すように、組み付けられた状態で後輪軸１７を避けるように、略円弧状に凹んだ形状に形成されている。
この右側カバー２７は、熱伝導性の良いアルミニウム鋳物で一体成型してもよく、樹脂の成形品で一体成型してもよい。
【００５０】
また、下面部２５ｃであって本体部２５の前側下部には、図６及び図７に示すように、上述したメインスタンド４５を取り付けるための取付穴４６ａが形成されている。
【００５１】
本発明の実施の形態によれば、ピボット軸１２を中心に回動するスイングアーム１３にＰＤＵ１８及び走行用の動力発生モータ１６を取り付け、バッテリ９からの電源をＰＤＵ１８を介して動力発生モータ１６に供給する電気自動二輪車１であって、スイングアーム１３の中空内部を仕切壁２５ａを介して空気導入空間２４及び機器取付空間２３に画成し、機器取付空間２３にＰＤＵ１８を仕切壁２５ａに密着する態様で取り付け、ＰＤＵ１８を取り付けた部分に対応した空気導入空間２４内に仕切壁２５ａから空気導入空間２４に向けて延びる冷却フィン４０を形成しているので、ＰＤＵ１８の熱を仕切壁２５ａに熱伝導させるとともに、この仕切壁２５ａの熱をさらに冷却フィン４０に伝えることができ、空気導入空間２４内の冷却フィン４０の部分に空気を送流させることで、熱を効果的に取り除くことができる。
【００５２】
また、機器取付空間２３に動力発生モータ１６を配置し、仕切壁２５ａの動力発生モータ取付部３３に空気導入空間２４から機器取付空間２３まで連通する空気穴５０を形成しているので、空気導入空間２４内の空気を、機器取付空間２３に取り付けられた動力発生モータ１６へと送ることができる。そのため、空気導入空間２４内に空気を送流させることで、空気を動力発生モータ１６へと送流させることができ、動力発生モータ１６を効果的に空気冷却することができる。
【００５３】
さらに、空気導入空間２４及び機器取付空間２３を車両前後方向に延びるように形成し、ピボット軸１２の近傍に空気導入空間２４の前側開口部１３ａを形成し、ピボット軸１２と動力発生モータ１６との間にＰＤＵ１８を配置し、複数の冷却フィン４０を前側開口部１３ａからら動力発生モータ１６の空気穴５０まで延びるように形成しているので、スイングアーム１３の車体前後方向に延びる形状に沿って、ＰＤＵ１８及び動力発生モータ１６を車両前後方向に沿って並べて配置することで、これらのＰＤＵ１８及び動力発生モータ１６の両方を空気冷却することができる。
【００５４】
さらにまた、機器取付空間２３を空気導入空間２４よりも車体外側に配置し、機器取付空間２３の外側部を覆う着脱可能な左側カバー２６を設けるようにしているので、外側の機器取付空間２３に配置されたＰＤＵ１８及び動力発生モータ１６が、左側カバー２６を取り外すことで車体外に表出するようになり、車体外からＰＤＵ１８及び動力発生モータ１６をメンテナンスすることができる。
【００５５】
また、空気導入空間２４を機器取付空間２３よりも車体内側に配置し、空気導入空間２４の車体内側を覆う着脱可能な右側カバー２７（内側カバー）を設けるようにしているので、右側カバー２７を外して空気導入空間２４側を表出させることにより、空気導入空間２４内部をメンテナンスすることができる。また、スイングアーム１３の構造を一体構造にしたものと比較して、本体部２５を容易に鋳込み成形をすることができる。
【００５６】
さらに、冷却フィン４０は複数形成され、これらの冷却フィン４０により区画された空気導入空間２４に対応した空気穴５０を形成しているので、上記区画毎に空気穴５０から空気を動力発生モータ１６側へ送ることができ、空気の送流を良好に行わせることができる。
【００５７】
さらにまた、スイングアーム１３には、空気導入空間２４から機器取付空間２３を連通する空気穴５０から導入された空気を動力発生モータ１６を通して外部に排出する排出通路Ｋを形成する空気案内壁５２（リブ）が設けられているので、導入された空気の流れを乱すことなく空気排出口５５まで空気を導くことで、動力発生モータ１６を効果的に冷却することができる。
【図面の簡単な説明】
【００５８】
【図１】本発明の実施の形態における電気自動二輪車の側面図である。
【図２】図１の平面図である。
【図３】図１のＩＩＩ−ＩＩＩ断面図であって、スイングアームを単体で示す図である。
【図４】図３の右側面図である。
【図５】図３を車体前側から見た図である。
【図６】本体部を機器取付空間側から見た側面図である。
【図７】本体部を空気導入空間側から見た側面図である。
【図８】左側カバーの正面図である。
【図９】右側カバーの正面図である。
【符号の説明】
【００５９】
１  電気自動二輪車
２  フロントフォーク
３  操向ハンドル
５  ヘッドパイプ
６  センターフレーム
７  リアフレーム
８  シートレール
９  バッテリ
１０  ステップフロア
１１  ピボットプレート
１２  ピボット軸
１３  スイングアーム
１３ａ  前側開口部
１３ｂ  回動支持部
１４  リアサスペンション
１４ａ  上端部
１４ｂ  下端部
１６  動力発生モータ
１６ａ  駆動軸
１７  後輪軸
１８  ＰＤＵ（パワードライブユニット）
１９  バッテリボックス
２０  空気導入ダクト
２０ａ  導入口
２０ｂ  排出口
２１  フェンダカバー
２２  冷却ファン
２３  機器取付空間
２４  空気導入空間
２５  本体部
２５ａ  仕切壁
２５ｂ  上面部
２５ｃ  下面部
２６  左側カバー（外側カバー）
２７  右側カバー（内側カバー）
２７ａ  後端部
２９  駆動ギヤ
３０  減速ギヤ
３１  駆動力伝達空間
３２  ＰＤＵ取付面
３３  動力発生モータ取付部
３４  ギヤカバー
３５  ドラムブレーキユニット
３６  ピン部材
３７  ブレーキワイヤ
３８  ブレーキレバー
３９  ブレーキハンドル
４０  冷却フィン
４５  メインスタンド
４６  支持部
４７  ブラケット
５０  空気穴
５１  ＰＤＵ取付穴
５２  空気案内壁（リブ）
５３  貫通穴
５４  取付穴
５５  空気排出口（排出口）
Ｆ  車体フレーム
Ｓ  足載せ空間
ＷＦ  前輪
ＷＲ  後輪
【図１】
2010083373.tif 000003
【図２】
2010083373.tif 000004
【図３】
2010083373.tif 000005
【図４】
2010083373.tif 000006
【図５】
2010083373.tif 000007
【図６】
2010083373.tif 000008
【図７】
2010083373.tif 000009
【図８】
2010083373.tif 000010
【図９】
2010083373.tif 000011